(57)【特許請求の範囲】
【請求項１】
金属リアカバーと、前記金属リアカバーと共に囲んで収納空間を形成する金属枠体と前記収納空間内に設置されるプリント回路基板モジュール及びアンテナモジュールとを備える移動端末であって、前記アンテナモジュールは前記プリント回路基板モジュールに電気的に接続され、前記金属リアカバーは完全に密封とせず、且つ第１金属部、第２金属部、第３金属部及び二つの結合スリットを備え、前記第１金属部、第３金属部はそれぞれ前記結合スリットにより前記第２金属部の両端と間隔を隔てて設けられ、前記アンテナモジュールは前記プリント回路基板モジュールの表面に設けられる接地端及び給電点を備え、前記接地端はメイン接地点と少なくとも一つのサブ接地点を備え、前記接地端は前記メイン接地点を介して前記金属リアカバーに電気的に接続され、前記給電点は前記金属リアカバーに電気的に接続され、
前記結合スリットは非金属材で充填され、
前記第１金属部、第２金属部及び第３金属部は前記アンテナモジュールの放射体であり、
前記接地端は複数の分散設置されるサブ接地点を備え、前記接地端は前記サブ接地点を介して前記金属リアカバーに電気的に接続され、
前記プリント回路基板モジュールはフィーダとマッチング回路を備え、前記マッチング回路はそれぞれ前記接地端及び前記給電点に電気的に接続され、前記給電点は前記フィーダを介して前記金属リアカバーに電気的に接続され、
前記結合スリットの幅は１．５ ｍｍ〜２．０ ｍｍである、ことを特徴とする、移動端末。 
【請求項２】
前記アンテナモジュールの動作周波数バンドは１５６５〜１６１５ ＭＨｚである、ことを特徴とする、請求項１に記載の移動端末。
【請求項３】
前記マッチング回路はインダクタ及び／又はコンデンサを含む、ことを特徴とする、請求項１に記載の移動端末。
【請求項４】
前記アンテナモジュールはＧＰＳアンテナモジュールである、ことを特徴とする、請求項１〜３のいずれかに記載の移動端末。
【発明の詳細な説明】
【技術分野】
【０００１】
本発明は通信技術分野に関し、具体的に移動端末に関する。
【背景技術】
【０００２】
現在、移動端末のスマート化の普及に伴い、各種の移動端末の外観の美しさに対する消費者のニーズがますます高くなっている。金属はその美しさ、耐摩耗性能及び優れた光沢と手触りで消費者に認められるようになっている。移動端末の外観設計は漸次安価なプラスチック材から全金属体に発展している。
【０００３】
このような金属リアカバーの外観設計は、デザイナーとエンドユーザの体験に非常に優れている。しかしながら、アンテナエンジニアにとっては一つのチャレンジがある。電磁波が金属を透過できないため、完全に密封する金属リアカバーはアンテナ放射にとって現実的ではなく、そのままアンテナモジュールの信号強度を損ない、移動端末のユーザーの使用体験に影響を及ぼす。
【発明の概要】
【０００４】
関連技術における、金属リアカバーの完全的な密封による移動端末におけるアンテナモジュールの信号が好ましくないという技術的課題を解決するために、本発明は金属リアカバーが完全に密封せず、アンテナ信号強度を効果的に改善する移動端末を提供する。
【０００５】
本発明は金属リアカバーと、前記金属リアカバーと共に囲んで収納空間を形成する金属枠体と前記収納空間内に設置されるプリント回路基板モジュール及びアンテナモジュールとを備える移動端末を提供する。前記アンテナモジュールは前記プリント回路基板モジュールに電気的に接続される。前記金属リアカバーは少なくとも一部が前記アンテナモジュールの放射体とされ、且つ第１金属部、第２金属部、第３金属部及び二つの結合スリットを備える。前記第１金属部、第３金属部はそれぞれ前記結合スリットにより前記第２金属部の両端と間隔を隔てて設けられる。前記アンテナモジュールは前記プリント回路基板モジュールの表面に設けられる接地端及び給電点を備える。前記接地端はメイン接地点と少なくとも一つのサブ接地点を備える。前記接地端は前記メイン接地点を介して前記金属リアカバーに電気的に接続され、前記給電点は前記金属リアカバーに電気的に接続される。
【０００６】
本発明が提供する移動端末の一好ましい実施例において、前記接地端は更に複数の分散設置されるサブ接地点を備え、前記接地端は前記サブ接地点を介して前記金属リアカバーに電気的に接続される。
【０００７】
本発明が提供する移動端末の一好ましい実施例において、前記プリント回路基板モジュールはフィーダとマッチング回路を備える。前記マッチング回路はそれぞれ前記接地端及び前記給電点に電気的に接続され、前記給電点は前記フィーダを介して前記金属リアカバーに電気的に接続される。
【０００８】
本発明が提供する移動端末の一好ましい実施例において、前記結合スリットの幅は１．５ ｍｍ〜２．０ ｍｍである。
【０００９】
本発明が提供する移動端末の一好ましい実施例において、前記結合スリットは非金属材料で充填されている。 
【００１０】
本発明が提供する移動端末の一好ましい実施例において、前記第１金属部、第２金属部及び第３金属部は前記アンテナモジュールの放射体である。
【００１１】
本発明が提供する移動端末の一好ましい実施例において、前記アンテナモジュールの動作周波数バンドは１５６５〜１６１５ ＭＨｚである。
【００１２】
本発明が提供する移動端末の一好ましい実施例において、前記マッチング回路はインダクタ及び／又はコンデンサを含む。
【００１３】
本発明が提供する移動端末の一好ましい実施例において、前記アンテナモジュールはＧＰＳアンテナモジュールである。
【発明の効果】
【００１４】
関連技術に比べ、本発明が提供する移動端末は以下の有益な效果を有する。
一、二つの結合スリットの増設と、二つの結合スリットの幅及び充填材質に対する制御により、移動端末の金属リアカバーを完全に密封するものとせず、信号放射を効果的に強め、アンテナモジュールの信号強度を改善し、効率をアンテナの周波数バンドの２４％〜３０％まで向上させ、アンテナモジュールのリターンロスを低減する。
二、接地端のメイン接地点、複数のサブ接地点及び給電点の分散設置という設計により、アンテナモジュールの構成を最適化する。
三、金属リアカバーの少なくとも一部をアンテナモジュールの放射体として用いることにより、放射体の面積を拡大し、有効な放射空間を形成し、アンテナモジュールの信号応答を向上させ、移動端末に対するユーザーの使用体験を改善する。
【図面の簡単な説明】
【００１５】
本発明の実施例に係る技術方案をより明確に説明するために、以下は実施例の記載に必要な図面に対して簡単に説明する。明確なことに、下記の記載における図面は本発明の一部の実施例に過ぎない。当業者にとっては、創造的な労働を要しない場合、これらの図面に基づいてその他の図面を得ることもできる。
【００１６】
【図１】本発明が提供する移動端末の一好ましい実施例の構成正面図である。
【図２】図１に示す移動端末の一好ましい実施例の構成背面図である。
【図３】図１に示す移動端末のアンテナモジュールのメイン接地点、サブ接地点及び給電点の分布模式図である。
【図４】図１に示す移動端末のアンテナモジュールのリターンロスの測定グラフである。
【図５】図１に示す移動端末のアンテナモジュールの効率の測定グラフである。
【発明を実施するための形態】
【００１７】
以下は本発明に係る実施例における図面に合わせて、本発明の実施例に係る技術方案を明確に全面的に説明する。明確なことに、記載された実施例は本発明の一部の実施例に過ぎず、すべての実施例ではない。本発明における実施例に基づいて、当業者が創造的な労働を要しない場合に得られた全てのその他の実施例は何れも本発明の保護範囲に含まれる。
【００１８】
図１及び図２を共に参照して、図１は本発明が提供する移動端末の一好ましい実施例の構成正面図であり、図２は図１に示す移動端末の一好ましい実施例の構成背面図である。前記移動端末１は金属リアカバー１１と、前記金属リアカバー１１と共に囲んで収納空間を形成する金属枠体（図示せず）と、アンテナモジュール１３及びプリント回路基板モジュール１５とを備える。前記アンテナモジュール１３は前記プリント回路基板モジュール１５と対向して間隔を隔てて設置され、両者の間に電気的に接続され、何れも前記移動端末１の収納空間内に収納される。
【００１９】
前記金属リアカバー１１は第１金属部１１１、第２金属部１１３、第３金属部１１５及び二つの結合スリット１１２を備える。前記第１金属部１１１、第３金属部１１５はそれぞれ前記結合スリット１１２により前記第２金属部１１３の両端と間隔を隔てて設けられる。前記結合スリット１１２は幅が１．５ ｍｍ〜２．０ ｍｍであり、非金属材で充填される。 
【００２０】
本発明に係る実施例において、前記アンテナモジュール１３はＧＰＳアンテナモジュールであり、そのうち、前記ＧＰＳアンテナモジュールの動作周波数バンドは１５６５〜１６１５ ＭＨｚである。勿論、その他の代替可能な実施例において、前記アンテナモジュール１３はその他の多種のアンテナモジュール、例えばブルートゥースアンテナモジュール、ＷＩＦＩアンテナモジュール、マルチバンド電話トランシーバアンテナモジュール、周波数変調ラジオアンテナモジュール等であってもよい。
【００２１】
前記アンテナモジュール１３は放射体、接地端１３１及び給電点１３３を備える。本発明において、前記アンテナモジュール１３の放射体は前記第１金属部１１１、前記第２金属部１１３及び前記第３金属部１１５である。前記接地端１３１と前記給電点１３３はそれぞれ前記プリント回路基板モジュール１５の表面に設置され、前記金属リアカバー１１に電気的に接続される。
【００２２】
図３を共に参照して、それは図１に示す移動端末のアンテナモジュールのメイン接地点、サブ接地点及び給電点の分布模式図である。本発明に係る実施例においては、複数の前記接地端１３１を有して良い。前記接地端１３１はメイン接地点１３１１と、複数の分散設置されるサブ接地点１３１３を備える。前記接地端１３１は前記メイン接地点１３１１と前記サブ接地点１３１３を介して前記金属リアカバー１１に電気的に接続される。前記メイン接地点１３１１、複数のサブ接地点１３１３及び前記給電点１３３の分散設置という設計により、アンテナモジュール１３の構成が最適化される。
【００２３】
前記プリント回路基板モジュール１５は前記アンテナモジュール１３の一部の構成を載置することに用いられ、それとともに、前記移動端末１におけるその他の機能装置をを載置することにも用いられ、また、前記プリント回路基板モジュール１５はそれと電気的に接続されるフィーダ１５１及びマッチング回路１５３を備える。前記マッチング回路１５３はインダクタ及び／又はコンデンサを備える。前記マッチング回路１５３はそれぞれ前記接地端１３１及び前記給電点１３３に電気的に接続される。前記フィーダ１５１は５０オームの同軸ケーブルであり、電波をアンテナインターフェースに効果的に伝送することができる。前記給電点１３３は前記フィーダ１５１を介して前記金属リアカバー１１に電気的に接続される。
【００２４】
前記金属リアカバー１１と前記プリント回路基板モジュール１５との間に共振回路が構成されるため、有効な放射空間が形成され、前記アンテナモジュール１３の信号応答を向上させる。前記接地端１３１と前記給電点１３３は前記アンテナモジュール１３の共振周波数を制御することに用いられる。前記接地端１３１は前記メイン接地点１３１１と前記サブ接地点１３１３を介して前記金属リアカバー１１に電気的に接続され、前記給電点１３３は前記フィーダ１５１を介して前記金属リアカバー１１に電気的に接続され、これにより、前記アンテナモジュール１３の信号伝送線路が形成される。
【００２５】
図４及び図５を共に参照して、図４は図１に示す移動端末のアンテナモジュールのリターンロスの測定グラフであり、図５は図１に示す移動端末のアンテナモジュールの効率の測定グラフである。
【００２６】
本方案が提供する移動端末が使用される際に、前記移動端末１の前記アンテナモジュール１３の動作周波数バンドは１５６５〜１６１５ ＭＨｚである。測定によって、前記アンテナモジュール１３の動作周波数バンド範囲内において、リターンロスは-８〜-１５ｄＢであり、効率は２４％〜３０％に達することができる。これによりわかるように、本方案により、前記アンテナモジュール１３の構成が最適化され、効率が向上し、リターンロスが低減された。
【００２７】
本発明が提供する前記移動端末１は以下の有益な效果を有する。
一、前記二つの結合スリット１１２の増設と、前記二つの結合スリット１１２の幅及び充填材に対する制御により、前記移動端末１の金属リアカバー１１を完全に密封するものとせず、エネルギーをできるだけ多く放射して伝送し、信号放射を効果的に強め、前記アンテナモジュール１３の信号強度を改善し、効率をアンテナの周波数バンドの２４％〜３０％まで向上させ、前記アンテナモジュール１３のリターンロスを低減する。
二、前記接地端１３１のメイン接地点１３１１、複数のサブ接地点１３１３及び前記給電点１３３の分散設置という設計により、前記アンテナモジュール１３の構成を最適化する。
三、前記金属リアカバー１１の少なくとも一部を前記アンテナモジュール１３の放射体として用いることにより、放射体の面積を拡大し、有効な放射空間を形成し、前記アンテナモジュール１３の信号応答を向上させ、前記移動端末１に対するユーザーの使用体験を改善する。
【００２８】
上述したのは本発明の実施例に過ぎず、本発明の特許範囲を限定するものではない。本発明の明細書及び図面の内容に基づいた等価な構造又は等価なフロー変換、又は、直接的もしくは間接的にその他の関連技術分野に応用することは、何れも本発明の保護範囲に含まれる。
【図１】
0006557598.tif 000002
【図２】
0006557598.tif 000003
【図３】
0006557598.tif 000004
【図４】
0006557598.tif 000005
【図５】
0006557598.tif 000006